(57)【要約】【課題】列車のどの車両に対象の端末装置が存在するかを特定する。【解決手段】位置を特定すべき端末装置の揺れを示す信号を取得する手段と、列車の編成を構成する各車両の揺れを示す信号を取得する手段と、前記端末装置の揺れを示す信号と前記各車両の揺れを示す信号とを参照し、前記端末装置の揺れと位相が類似する揺れの車両を特定する手段と、を備える。【選択図】図５
2015188157.tif 000002
【特許請求の範囲】
【請求項１】
位置を特定すべき端末装置の揺れを示す信号を取得する手段と、
列車の編成を構成する各車両の揺れを示す信号を取得する手段と、
前記端末装置の揺れを示す信号と前記各車両の揺れを示す信号とを参照し、前記端末装置の揺れと位相が類似する揺れの車両を特定する手段と、
を備えることを特徴とする位置特定装置。
【請求項２】
請求項１に記載の位置特定装置において、
前記端末装置に対し、前記車両を特定する手段により特定された車両に応じた情報を提供する手段、
を備えることを特徴とする位置特定装置。
【請求項３】
請求項１または２のいずれか一項に記載の位置特定装置において、
前記端末装置の揺れを示す信号を取得する手段は、前記端末装置を識別する情報と、取得時の時刻を示す情報とともに、前記端末装置の揺れを示す信号を記憶し、
前記各車両の揺れを示す信号を取得する手段は、前記車両を識別する情報と、取得時の時刻を示す情報とともに、前記車両の揺れを示す信号を記憶する、
ことを特徴とする位置特定装置。
【請求項４】
請求項１乃至３のいずれか一項に記載の位置特定装置において、
前記車両を特定する手段は、前記端末装置を識別する情報と、特定された車両を識別する情報とを対応付けて記憶する、
ことを特徴とする位置特定装置。
【請求項５】
位置を特定すべき端末装置の揺れを示す信号を取得し、
列車の編成を構成する各車両の揺れを示す信号を取得し、
前記端末装置の揺れを示す信号と前記各車両の揺れを示す信号とを参照し、前記端末装置の揺れと位相が類似する揺れの車両を特定する、
処理をコンピュータに実行させることを特徴とするプログラム。
【請求項６】
位置特定装置が、
位置を特定すべき端末装置の揺れを示す信号を取得し、
列車の編成を構成する各車両の揺れを示す信号を取得し、
前記端末装置の揺れを示す信号と前記各車両の揺れを示す信号とを参照し、前記端末装置の揺れと位相が類似する揺れの車両を特定する、
ことを特徴とする方法。
【発明の詳細な説明】
【技術分野】
【０００１】
本発明は、端末装置の位置を特定する技術に関する。
【背景技術】
【０００２】
端末装置の位置に応じた情報サービスの提供が既に行われており、ＧＰＳ（Global Positioning System）や無線ＬＡＮ（Local Area Network）ステーションの情報がユーザの所持する端末装置の位置の特定に用いられることが多い。
【０００３】
一方、電車等の列車の中に特化した情報サービスは、利用者数が多く需要があると考えられるが、車両に応じた情報サービスは見当たらない。列車の車両には、女性専用車両やグリーン車というような車両ごとに異なる属性があり、それらに応じた情報サービスは有効と考えられる。
【０００４】
ユーザの所持する端末装置が列車のどの車両に位置しているのかを特定することができれば、車両に応じた情報サービスを提供することが可能となる。
【先行技術文献】
【特許文献】
【０００５】
【特許文献１】特開２００９−１５９２０８号公報
【発明の概要】
【発明が解決しようとする課題】
【０００６】
上述した、ＧＰＳや無線ＬＡＮステーションの情報を用いてユーザの所持する端末装置の位置を特定する手法は、検出できる位置の精度が低く、列車の中の車両を特定するのは困難である。
【０００７】
また、特許文献１には、列車の乗客の携帯端末から無線で送信された緊急通報を、車両の扉ごとに設けられた無線装置が受信し、扉固有ＩＤを付与して車両サーバ等に通知することで、乗客の携帯端末の位置を特定する技術が開示されている。この場合、複数の無線装置に携帯端末からの緊急通報が到達した場合、電界強度に応じた受信レベルが大きい側の無線装置が受信を行うことで、携帯端末がどの扉に近いかが特定される。
【０００８】
しかし、このような電界強度を用いた手法により列車の編成内のどの車両に位置するかを判断する手法は、電波が隣接する車両にも浸潤するため、誤認識する問題がある。すなわち、車両内での端末装置の位置や外部要因により、当該車両内から届く電波の電界強度よりも、隣接する車両から届く電波の電界強度の方が強くなることがあり、その場合には車両を誤認識することとなる。近年は車両の窓を大きくとることが多いため、電波が容易に隣接する車両に届いてしまうことも要因の一つである。
【０００９】
そこで、一側面では、列車のどの車両に対象の端末装置が存在するかを特定することのできる手法の提供を目的とする。
【課題を解決するための手段】
【００１０】
一つの案では、位置を特定すべき端末装置の揺れを示す信号を取得する手段と、列車の編成を構成する各車両の揺れを示す信号を取得する手段と、前記端末装置の揺れを示す信号と前記各車両の揺れを示す信号とを参照し、前記端末装置の揺れと位相が類似する揺れの車両を特定する手段と、を備える。
【発明の効果】
【００１１】
一態様によれば、列車のどの車両に対象の端末装置が存在するかを特定することができる。
【図面の簡単な説明】
【００１２】
【図１】列車の車両がレールの継ぎ目を通過する場合の例を示す図である。
【図２】車両の揺れの概要を示す図（その１）である。
【図３】車両がレールの継ぎ目を通過する際の加速度実測値の例を示す図である。
【図４】車両の揺れの概要を示す図（その２）である。
【図５】一実施形態にかかるシステムの構成例を示す図である。
【図６】各装置の構成例を示す図である。
【図７】各種テーブルのデータ構造例を示す図である。
【図８】実施形態の処理例を示すフローチャートである。
【図９】車両の特定の例を示す図である。
【発明を実施するための形態】
【００１３】
以下、本発明の好適な実施形態につき説明する。
【００１４】
＜列車の車両の揺れ＞
列車の車両の揺れ（振動）の一つとして、レールの継ぎ目を通過する際の揺れがあり、継ぎ目のないレールを用いているような場合やレール自体を用いない特殊な場合を除き、通常の列車では必然的に発生するものであると考えられる。なお、レールに継ぎ目が存在するのは、気温の変化によるレールの熱膨張や熱収縮を継ぎ目部分で吸収し、レールが湾曲するのを防止するためであると一般に説明されている。
【００１５】
図１は列車の車両がレールの継ぎ目を通過する場合の例を示す図であり、列車の編成を構成する各車両の車輪ＷがレールＲの継ぎ目ＲＪを通過する際に揺れが発生する。継ぎ目ＲＪを通過した車輪Ｗの属する車両には大きな揺れが発生するが、他の車両とは連結器Ｃによって緩く接続されているため、大きな揺れは継ぎ目ＲＪを通過した車両においてのみ発生し、連結器Ｃによって接続された隣接する車両には小さな揺れが伝搬する程度である。
【００１６】
図１において列車が左方向に走行しているとすると、継ぎ目ＲＪを通過するタイミングは列車の編成の中で先頭の車両＃１が最も早く、次いで、車両＃２、車両＃３の順となる。
【００１７】
図２は車両の揺れの概要を示す図であり、（ａ）は図１における車両＃１の時刻に対する揺れ、（ｂ）は車両＃２の時刻に対する揺れ、（ｃ）は車両＃３の時刻に対する揺れを示している。なお、図２ではレールの継ぎ目を通過した際の大きな揺れのみを概略的に示している。（ａ）においてｐ１は車両＃１における大きな揺れのピーク、（ｂ）においてｐ２は車両＃２における大きな揺れのピーク、（ｃ）においてｐ３は車両＃３における大きな揺れのピークである。
【００１８】
図３は車両がレールの継ぎ目を通過する際の加速度実測値の例を示す図であり、期間Ｔがレールの継ぎ目を通過した際の大きな揺れに相当している。
【００１９】
図４は、レールの継ぎ目を通過した際の大きな揺れだけではなく、隣接する車両から伝搬する小さな揺れも考慮した場合について概略的に示している。（ａ）は車両＃１の時刻に対する揺れ、（ｂ）は車両＃２の時刻に対する揺れ、（ｃ）は車両＃３の時刻に対する揺れである。
【００２０】
ここで、車両＃１（先頭車両）においては、（ａ）に示すように、自車両が継ぎ目を通過した際の大きな揺れのピークｐ１１が生じた後に、後続の車両＃２、＃３が継ぎ目を通過した際の大きな揺れから伝搬してきた小さな揺れのピークｐ１２、ｐ１３が生じる。車両＃２においては、（ｂ）に示すように、先行する車両＃１が継ぎ目を通過した際の大きな揺れから伝搬してきた小さな揺れのピークｐ２１が生じ、その後に自車両が継ぎ目を通過した際の大きな揺れのピークｐ２２が生じ、更にその後に後続の車両＃３が継ぎ目を通過した際の大きな揺れから伝搬してきた小さな揺れのピークｐ２３が生じる。車両＃３においては、（ｃ）に示すように、先行する車両＃１、＃２が継ぎ目を通過した際の大きな揺れから伝搬してきた小さな揺れのピークｐ３１、ｐ３２が生じ、その後に自車両が継ぎ目を通過した際の大きな揺れのピークｐ３３が生じる。
【００２１】
なお、図４に示したような明確な大小の揺れのパターンの違いが車両によって生じるのは、列車の全長（編成を構成する各車両の長さの合計）に比してレールの継ぎ目の間隔（レール長）が長い場合である。すなわち、１編成の中でレールの継ぎ目を同時に通過するのが１か所を越えない場合である。この点、実際上、車両の長さは１両２０ｍ程度であり、一般的な１０両編成程度であれば、列車の全長は２００ｍ程度となる。また、レールは概ね２００ｍ以上の"ロングレール"が用いられるようになってきており、１編成の中でレールの継ぎ目を同時に通過するのが１か所を越えない。なお、１編成の中でレールの継ぎ目を同時に通過するのが２か所を越えるような場合であっても、観察する期間を適切に設定すれば、各車両の揺れが全く同じになることはなく、車両毎にユニークな揺れとなる。
【００２２】
上述したように、各車両における揺れの信号を時間軸に沿って取得し、一方で、いずれかの車両に乗車しているユーザの端末装置においても揺れの信号を時間軸に沿って取得し、端末装置の揺れと位相が類似する揺れの車両を特定することで、列車のどの車両に対象の端末装置が存在するかを特定することができる。
【００２３】
＜システム構成＞
図５は一実施形態にかかるシステムの構成例を示す図である。図５において、列車の各車両１にはそれぞれ車両搭載装置２が設けられている。また、ユーザ３は端末装置４を所持し、いずれかの車両１に乗車しているものとしている。車両搭載装置２および端末装置４は、無線によりネットワーク６を介して管理サーバ装置７との間で通信が行えるようになっている。また、駅のホーム等で情報を提供したり、ユーザからのアクセスにより情報を提供したりする目的で関連装置５が設けられており、関連装置５はネットワーク６を介して管理サーバ装置７との間で通信が行えるようになっている。
【００２４】
図６は、図５における各装置の構成例を示す図である。図６において、車両搭載装置２は通信機能を有した情報処理装置の基本的なハードウェアを備えた装置であり、車両ＩＤ記憶部２１と３軸加速度センサ２２と位置情報取得部２３と通信部２４とを備えている。
【００２５】
車両ＩＤ記憶部２１は、自装置が搭載される車両１を識別する車両ＩＤを記憶して保持する機能を有している。なお、車両ＩＤは列車内の車両を識別するだけでなく、列車も識別する。
【００２６】
３軸加速度センサ２２は、自装置に加わる３軸（ｘ軸、ｙ軸、ｚ軸）方向の加速度を検出し、検出した信号を出力する機能を有している。
【００２７】
位置情報取得部２３は、ＧＰＳ機能等により自装置の位置情報を取得する機能を有している。
【００２８】
通信部２４は、無線によりネットワーク６を介して管理サーバ装置７との間で通信を行う機能を有している。
【００２９】
端末装置４は、スマートフォン、携帯電話等の、通信機能を有した情報処理装置の基本的なハードウェアを備えた装置であり、端末ＩＤ記憶部４１と３軸加速度センサ４２と位置情報取得部４３と通信部４４とサービス情報提示部４５とを備えている。
【００３０】
端末ＩＤ記憶部４１は、自装置を識別する端末ＩＤを記憶して保持する機能を有している。
【００３１】
３軸加速度センサ４２は、自装置に加わる３軸（ｘ軸、ｙ軸、ｚ軸）方向の加速度を検出し、検出した信号を出力する機能を有している。
【００３２】
位置情報取得部４３は、ＧＰＳ機能等により自装置の位置情報を取得する機能を有している。
【００３３】
通信部４４は、無線によりネットワーク６を介して管理サーバ装置７との間で通信を行う機能を有している。
【００３４】
サービス情報提示部４５は、管理サーバ装置７からネットワーク６を介して提供されたサービス情報をユーザに対して提示（表示、音声出力等）する機能を有している。
【００３５】
関連装置５は通信機能を有した情報処理装置の基本的なハードウェアを備えた装置であり、通信部５１とサービス情報生成部５２とサービス情報提示部５３とを備えている。
【００３６】
通信部５１は、ネットワーク６を介して管理サーバ装置７との間で通信を行う機能を有している。
【００３７】
サービス情報生成部５２は、管理サーバ装置７から取得した情報に基づいて、必要に応じて外部情報を参照し、新たなサービス情報を生成する機能を有している。
【００３８】
サービス情報提示部５３は、管理サーバ装置７からネットワーク６を介して提供されたサービス情報またはサービス情報生成部５２により新たに生成したサービス情報をユーザに対して提示（表示、音声出力等）する機能を有している。
【００３９】
管理サーバ装置７は通信機能を有した情報処理装置の基本的なハードウェアを備えた装置であり、通信部７１と合成加速度算出部７２と情報管理部７３と列車認識部７４と車両特定部７５とサービス情報配信部７６と車両・端末照合情報配信部７７とを備えている。また、処理に用いる情報を保持するために、車両振動管理テーブル７０１と端末振動管理テーブル７０２と車両・端末照合管理テーブル７０３とを備えている。
【００４０】
通信部７１は、車両搭載装置２、端末装置４および関連装置５との間で通信を行う機能を有している。
【００４１】
合成加速度算出部７２は、車両搭載装置２および端末装置４から３次元加速度の情報を受信した場合に、３次元加速度から合成加速度値（加速度ベクトルの絶対値）を算出する機能を有している。
【００４２】
情報管理部７３は、合成加速度算出部７２で算出された合成加速度値と位置情報を、取得元のＩＤ（車両ＩＤ、端末ＩＤ）と対応付け、タイムスタンプを付与して、車両振動管理テーブル７０１または端末振動管理テーブル７０２に記憶する機能を有している。
【００４３】
列車認識部７４は、車両振動管理テーブル７０１および端末振動管理テーブル７０２に記憶された情報に基づいて、揺れの位相の類似性を判定するのに先立ち、位置情報の類似性から同一の列車毎にデータのグループ分けを行う機能を有している。
【００４４】
車両特定部７５は、列車認識部７４によりグループ分けされたグループ毎に、揺れを示す合成加速度値の類似性から、端末装置４が存在する車両１を特定し、特定した結果を車両・端末照合管理テーブル７０３に記憶する機能を有している。
【００４５】
サービス情報配信部７６は、車両・端末照合管理テーブル７０３を参照し、車両に応じたサービス情報を端末装置４に配信する機能を有している。
【００４６】
車両・端末照合情報配信部７７は、車両・端末照合管理テーブル７０３の車両・端末照合情報等を関連装置５に配信する機能を有している。
【００４７】
図７は管理サーバ装置７に設けられた各種テーブルのデータ構造例を示す図である。（ａ）に示すように、車両振動管理テーブル７０１は、「車両ＩＤ」、「車両順位」（列車の中で何両目かという情報）、「タイムスタンプ」、「合成加速度値」、「位置情報」等の項目を含んでいる。（ｂ）に示すように、端末振動管理テーブル７０２は、「端末ＩＤ」、「タイムスタンプ」、「合成加速度値」、「位置情報」等の項目を含んでいる。（ｃ）に示すように、車両・端末照合管理テーブル７０３は、「車両ＩＤ」、「車両順位」、「端末ＩＤ」等の項目を含んでいる。
【００４８】
＜動作＞
図８は上記の実施形態の処理例を示すフローチャートである。図８では、車両搭載装置２と端末装置４と管理サーバ装置７の処理を示しており、それぞれは並行して実行される。
【００４９】
車両搭載装置２においては、情報送信の処理として、３軸加速度センサ２２により車両搭載装置２に加わる３次元加速度を取得し（ステップＳ１１）、位置情報取得部２３により車両搭載装置２の位置情報を取得し（ステップＳ１２）、車両ＩＤ記憶部２１に保持された車両ＩＤと、３次元加速度と位置情報とを通信部２４により管理サーバ装置７に対して送信する（ステップＳ１３）。その後も所定の周期で同様の処理を繰り返す。
【００５０】
端末装置４においては、情報送信の処理として、３軸加速度センサ４２により端末装置４に加わる３次元加速度を取得し（ステップＳ２１）、位置情報取得部４３により端末装置４の位置情報を取得し（ステップＳ２２）、端末ＩＤ記憶部４１に保持された端末ＩＤと、３次元加速度と位置情報とを通信部４４により管理サーバ装置７に対して送信する（ステップＳ２３）。その後も所定の周期で同様の処理を繰り返す。
【００５１】
管理サーバ装置７においては、情報受信・記憶の処理として、車両搭載装置２または端末装置４から通信部７１により情報を受信すると（ステップＳ３１）、合成加速度算出部７２により合成加速度値を算出する（ステップＳ３２）。合成加速度値は、ｘ方向加速度をａｘ、ｙ方向加速度をａｙ、ｚ方向加速度をａｚとすると、
合成加速度値＝root（ａｘ２＋ａｙ２＋ａｚ２）
により算出する。なお、合成加速度値に代えて、いずれか一方向の加速度値を用いたり、３軸方向のうちで最も大きい加速度値を用いてもよい。
【００５２】
次いで、情報管理部７３は、車両振動管理テーブル７０１または端末振動管理テーブル７０２の該当する車両ＩＤまたは端末ＩＤの最後の記憶箇所を検索する（ステップＳ３３）。
【００５３】
次いで、情報管理部７３は、検索された最後の記憶箇所の次に、該当する車両ＩＤまたは端末ＩＤで、タイムスタンプを付加して合成加速度値と位置情報を記憶する（ステップＳ３４）。その後も所定の周期で同様の処理を繰り返す。
【００５４】
また、管理サーバ装置７においては、類似性判定の処理として、列車認識部７４により、車両振動管理テーブル７０１および端末振動管理テーブル７０２の所定の時刻間のデータを、位置情報に基づいて列車毎にグループ分けする（ステップＳ４１）。同じ列車上に存在する車両搭載装置２と端末装置４の位置情報は所定の範囲内に収まるとともに、時間変化とともに同じだけ移動するため、他の列車上に存在する装置からのデータと区別することができる。なお、位置情報を用いて列車を認識する場合を例として説明しているが、他の手法も採用することができる。例えば、車両搭載装置２から列車を識別する情報を送信し、それを端末装置４が受信するようにし、端末装置４は管理サーバ装置７に３次元加速度とともに列車を識別する情報を送信するようにしてもよい。
【００５５】
次いで、車両特定部７５により、列車認識部７４によりグループ分けされた各グループの中で、各端末装置４の合成加速度値の変化（揺れ）と各車両１の合成加速度値の変化（揺れ）との類似性を判断し、各端末装置４につき、最も類似する揺れの車両１を対応付け、車両・端末照合管理テーブル７０３に記憶する（ステップＳ４２）。類似性の判断は、例えば、所定の時刻間の合成加速度値の数列に相関演算を施すことにより判断することができる。すなわち、一つの端末装置４の揺れの数列と、候補となる車両１の揺れの数列との間で相関演算を行うことにより、位相が揃う場合は大きな演算結果が得られるため、演算結果の大小から類似性を判断することができる。また、一つの端末装置４の揺れの数列と、候補となる車両１の揺れの数列とから、揺れの位相差を算出し、位相差が最も小さいものを類似性が高いものと判断することもできる。
【００５６】
図９は車両の特定の例を示す図であり、図１に示した３両編成を例としており、（ａ）は車両＃１の時刻に対する揺れ、（ｂ）は車両＃２の時刻に対する揺れ、（ｃ）は車両＃３の時刻に対する揺れを示している。ここで、端末装置４から取得した揺れが（ｄ）に示すものであったとすると、揺れの位相が最も類似するものとして、（ｂ）の車両＃２が特定される。
【００５７】
図８に戻り、管理サーバ装置７においては、サービス提供の処理として、サービス情報配信部７６により、車両・端末照合管理テーブル７０３を参照し、該当する車両１に応じたサービス情報を、対応する端末装置４に配信する（ステップＳ５１）。サービス情報の態様としては、次のようなものが想定される。
・端末装置４が女性専用車両に存在（端末装置４のユーザが女性専用車両に乗車）していると判断される場合、端末装置４に女性向け広告を配信。また、別途、ユーザＤＢ（図示せず）を参照し、男性である場合は端末装置４に警告を配信。
・車両毎の端末装置４の存在数から各車両の混み具合を判断し、空いている車両情報を端末装置４に配信。
・グリーン車に乗車していると判断される場合、グリーン車限定の特別なサービス情報を端末装置４に配信。
・乗車している車両が途中の駅での切り離し対象であるか否かの情報を端末装置４に配信。
・乗車している車両とトイレがある車両までの案内を端末装置４に配信。
・降車したときの車両から駅出口までの経路案内（マップ）を端末装置４に配信。
・各車両の窓から見える車両別観光案内を端末装置４に配信。
・サービス情報として、ユーザが乗車している車両の位置（車両順位）を端末装置４に配信。車両で異常等（急病人、車椅子の人の降車、異物発見、痴漢等）があったときに、ユーザが端末装置４から車両位置情報を自動付加して異常を駅側の所定装置に通知。
【００５８】
次いで、車両・端末照合情報配信部７７により、他の関連装置５に対し、車両・端末照合管理テーブル７０３の車両・端末照合情報と、当該情報から生成したサービス情報を配信する（ステップＳ５２）。その後も所定の周期で同様の処理を繰り返す。
【００５９】
なお、関連装置５によるサービス情報の態様としては、次のようなものが想定される。
・到着する列車の車両毎の混み具合を掲示板に表示。
・端末装置４の紛失の申し出に対し、端末装置４の存在する車両を参照し、発見に利用。
【００６０】
＜総括＞
以上説明したように、本実施形態によれば、列車のどの車両に対象の端末装置が存在するかを特定することができる。
【００６１】
なお、管理サーバ装置７の情報管理部７３は、位置を特定すべき端末装置の揺れを示す信号を取得する手段および列車の編成を構成する各車両の揺れを示す信号を取得する手段の一例である。
【００６２】
車両特定部７５は、端末装置の揺れと位相が類似する揺れの車両を特定する手段の一例である。
【００６３】
サービス情報配信部７６は、端末装置に対し、車両を特定する手段により特定された車両に応じた情報を提供する手段の一例である。
【００６４】
以上、好適な実施の形態により説明した。ここでは特定の具体例を示して説明したが、特許請求の範囲に定義された広範な趣旨および範囲から逸脱することなく、これら具体例に様々な修正および変更を加えることができることは明らかである。すなわち、具体例の詳細および添付の図面により限定されるものと解釈してはならない。
【００６５】
以上の説明に関し、更に以下の項を開示する。
（付記１）  位置を特定すべき端末装置の揺れを示す信号を取得する手段と、
列車の編成を構成する各車両の揺れを示す信号を取得する手段と、
前記端末装置の揺れを示す信号と前記各車両の揺れを示す信号とを参照し、前記端末装置の揺れと位相が類似する揺れの車両を特定する手段と、
を備えることを特徴とする位置特定装置。
（付記２）  付記１に記載の位置特定装置において、
前記端末装置に対し、前記車両を特定する手段により特定された車両に応じた情報を提供する手段、
を備えることを特徴とする位置特定装置。
（付記３）  付記１または２のいずれか一項に記載の位置特定装置において、
前記端末装置の揺れを示す信号を取得する手段は、前記端末装置を識別する情報と、取得時の時刻を示す情報とともに、前記端末装置の揺れを示す信号を記憶し、
前記各車両の揺れを示す信号を取得する手段は、前記車両を識別する情報と、取得時の時刻を示す情報とともに、前記車両の揺れを示す信号を記憶する、
ことを特徴とする位置特定装置。
（付記４）  付記１乃至３のいずれか一項に記載の位置特定装置において、
前記車両を特定する手段は、前記端末装置を識別する情報と、特定された車両を識別する情報とを対応付けて記憶する、
ことを特徴とする位置特定装置。
（付記５）  位置を特定すべき端末装置の揺れを示す信号を取得し、
列車の編成を構成する各車両の揺れを示す信号を取得し、
前記端末装置の揺れを示す信号と前記各車両の揺れを示す信号とを参照し、前記端末装置の揺れと位相が類似する揺れの車両を特定する、
処理をコンピュータに実行させることを特徴とするプログラム。
（付記６）  付記５に記載のプログラムにおいて、
前記端末装置に対し、前記車両を特定する処理により特定された車両に応じた情報を提供する、
処理をコンピュータに実行させることを特徴とするプログラム。
（付記７）  付記５または６のいずれか一項に記載のプログラムにおいて、
前記端末装置の揺れを示す信号を取得する処理は、前記端末装置を識別する情報と、取得時の時刻を示す情報とともに、前記端末装置の揺れを示す信号を記憶し、
前記各車両の揺れを示す信号を取得する処理は、前記車両を識別する情報と、取得時の時刻を示す情報とともに、前記車両の揺れを示す信号を記憶する、
ことを特徴とするプログラム。
（付記８）  付記５乃至７のいずれか一項に記載のプログラムにおいて、
前記車両を特定する処理は、前記端末装置を識別する情報と、特定された車両を識別する情報とを対応付けて記憶する、
ことを特徴とするプログラム。
（付記９）  位置特定装置が、
位置を特定すべき端末装置の揺れを示す信号を取得し、
列車の編成を構成する各車両の揺れを示す信号を取得し、
前記端末装置の揺れを示す信号と前記各車両の揺れを示す信号とを参照し、前記端末装置の揺れと位相が類似する揺れの車両を特定する、
ことを特徴とする方法。
（付記１０）  付記９に記載の方法において、
前記端末装置に対し、前記車両を特定する処理により特定された車両に応じた情報を提供する、
ことを特徴とする方法。
（付記１１）  付記９または１０のいずれか一項に記載の方法において、
前記端末装置の揺れを示す信号を取得する処理は、前記端末装置を識別する情報と、取得時の時刻を示す情報とともに、前記端末装置の揺れを示す信号を記憶し、
前記各車両の揺れを示す信号を取得する処理は、前記車両を識別する情報と、取得時の時刻を示す情報とともに、前記車両の揺れを示す信号を記憶する、
ことを特徴とする方法。
（付記１２）  付記９乃至１１のいずれか一項に記載の方法において、
前記車両を特定する処理は、前記端末装置を識別する情報と、特定された車両を識別する情報とを対応付けて記憶する、
ことを特徴とする方法。
【符号の説明】
【００６６】
１          車両
２          車両搭載装置
２１        車両ＩＤ記憶部
２２        ３軸加速度センサ
２３        位置情報取得部
２４        通信部
３          ユーザ
４          端末装置
４１        端末ＩＤ記憶部
４２        ３軸加速度センサ
４３        位置情報取得部
４４        通信部
４５        サービス情報提示部
５          関連装置
５１        通信部
５２        サービス情報生成部
５３        サービス情報提示部
６          ネットワーク
７          管理サーバ装置
７１        通信部
７２        合成加速度算出部
７３        情報管理部
７４        列車認識部
７５        車両特定部
７６        サービス情報配信部
７７        車両・端末照合情報配信部
７０１      車両振動管理テーブル
７０２      端末振動管理テーブル
７０３      車両・端末照合管理テーブル
【図１】
2015188157.tif 000003
【図２】
2015188157.tif 000004
【図３】
2015188157.tif 000005
【図４】
2015188157.tif 000006
【図５】
2015188157.tif 000007
【図６】
2015188157.tif 000008
【図７】
2015188157.tif 000009
【図８】
2015188157.tif 000010
【図９】
2015188157.tif 000011